(57)【要約】【課題】冷却効率及び使用性を向上できる冷蔵庫を提供する。【解決手段】貯蔵室３が形成される本体部２と、本体部２に枢支して貯蔵室３を開閉する扉４と、本体部２及び扉４の一方に設けられる第１係止部材１０と、本体部２及び扉４の他方に設けられるとともに第１係止部材１０に当接して扉４の回動範囲を規制する第２係止部材２０とを備えた冷蔵庫１において、第１係止部材１０が扉４の枢支軸を中心として周方向に離れて軸方向の段差を形成する第１当接部１１及び第２当接部１２を有し、扉４を開く際に第２係止部材２０と第１当接部１１との当接により扉４を係止するとともに、第２係止部材２０及び第１当接部１１の少なくとも一方が傾斜面を有して両者の摺動により扉４を持ち上げ、第２係止部材２０と第２当接部１２との当接によって扉４の回動範囲を規制した。【選択図】図２
2012087958.tif 000002
【特許請求の範囲】
【請求項１】
貯蔵室が形成される本体部と、前記本体部に枢支して前記貯蔵室を開閉する扉と、前記本体部及び前記扉の一方に設けられる第１係止部材と、前記本体部及び前記扉の他方に設けられるとともに第１係止部材に当接して前記扉の回動範囲を規制する第２係止部材とを備えた冷蔵庫において、第１係止部材が前記扉の枢支軸を中心として周方向に離れて軸方向の段差を形成する第１当接部及び第２当接部を有し、前記扉を開く際に第２係止部材と第１当接部との当接により前記扉を係止するとともに、第２係止部材及び第１当接部の少なくとも一方が傾斜面を有して両者の摺動により前記扉を持ち上げ、第２係止部材と第２当接部との当接によって前記扉の回動範囲を規制したことを特徴とする冷蔵庫。
【請求項２】
第１当接部及び第２係止部材の両方の摺動面が傾斜面から成ることを特徴とする請求項１に記載の冷蔵庫。
【請求項３】
第１係止部材が前記本体部の前記貯蔵室の下方に配され、第２係止部材が前記扉の下面に設けられることを特徴とする請求項１または請求項２に記載の冷蔵庫。
【請求項４】
前記貯蔵室内に前後にスライド自在の収納ケースを設け、第２係止部材が第１当接部に当接した状態で前記収納ケースを引き出すことができるとともに、第２係止部材が第２当接部に当接した状態で前記収納ケースを取り外すことができることを特徴とする請求項１〜請求項３のいずれかに記載の冷蔵庫。
【発明の詳細な説明】
【技術分野】
【０００１】
本発明は、扉の回動範囲を規制する冷蔵庫に関する。
【背景技術】
【０００２】
従来の冷蔵庫は特許文献１に開示されている。この冷蔵庫は本体部に形成される貯蔵室の前面が扉により覆われる。本体部の貯蔵室の上方及び下方には扉の枢支軸を形成するヒンジピンの保持部材が取り付けられる。扉の上下面にはヒンジピンに嵌合する嵌合孔が設けられる。保持部材に保持されたヒンジピンを嵌合孔に嵌合して扉が本体部に枢支される。これにより、扉を回動して貯蔵室を開閉することができる。
【０００３】
また、扉にはストッパが設けられ、扉を所定の角度まで開くとストッパが保持部材に当接して扉が係止される。これにより、扉の回動範囲が規制され、室内の壁面等と扉との衝突が防止される。この時、扉の閉じた状態からの回動角度が９０゜よりも大きく、貯蔵室の前面が開放される。従って、貯蔵室内に貯蔵物を出し入れできるとともに、貯蔵室内の清掃を容易に行うことができる。
【先行技術文献】
【特許文献】
【０００４】
【特許文献１】実願昭５４−１４０３２２号（第１頁−第１０頁、第４図）
【発明の概要】
【発明が解決しようとする課題】
【０００５】
しかしながら、上記従来の冷蔵庫によると、ストッパにより係止された扉は清掃を容易にするため、閉じた状態からの回動角度が大きい。特に、貯蔵物を載置する載置棚や貯蔵物を収納する収納ケースが貯蔵室内に配されると、載置棚や収納ケースを取り外すために扉の開くことができる角度を大きくする必要がある。
【０００６】
このため、扉を開いた際に貯蔵室内から流出する冷気が多くなり、冷蔵庫の冷却効率が低下する問題があった。また、扉の開く角度が大きくなると側方への重心移動が大きくなる。このため、横幅が狭いスリムタイプの冷蔵庫では扉の開閉時に不安定になり、冷蔵庫の使用性が低下する問題もあった。
【０００７】
本発明は、冷却効率及び使用性を向上できる冷蔵庫を提供することを目的とする。
【課題を解決するための手段】
【０００８】
上記目的を達成するために本発明は、貯蔵室が形成される本体部と、前記本体部に枢支して前記貯蔵室を開閉する扉と、前記本体部及び前記扉の一方に設けられる第１係止部材と、前記本体部及び前記扉の他方に設けられるとともに第１係止部材に当接して前記扉の回動範囲を規制する第２係止部材とを備えた冷蔵庫において、第１係止部材が前記扉の枢支軸を中心として周方向に離れて軸方向の段差を形成する第１当接部及び第２当接部を有し、前記扉を開く際に第２係止部材と第１当接部との当接により前記扉を係止するとともに、第２係止部材及び第１当接部の少なくとも一方が傾斜面を有して両者の摺動により前記扉を持ち上げ、第２係止部材と第２当接部との当接によって前記扉の回動範囲を規制したことを特徴としている。
【０００９】
この構成によると、例えば、第２係止部材が扉の下面に取り付けられ、第１係止部材が本体部の貯蔵室の下方に取り付けられる。第１係止部材の第１、第２当接部は扉の枢支軸を中心として同一円周上の周方向に離れて配され、扉を開くと第２係止部材が第１当接部に当接して扉が係止される。この時、貯蔵室に貯蔵物を出し入れすることができる。更に扉を開くと、例えば第１当接部に設けた傾斜面上を第２係止部材が摺動して第１当接部を乗り越え、扉が上昇する。そして、第２係止部材が第２当接部に当接して扉の回動が規制され、扉をそれ以上開くことができなくなる。この時、貯蔵室内の清掃等を容易に行うことができる。
【００１０】
また本発明は、上記構成の冷蔵庫において、第１当接部及び第２係止部材の両方の摺動面が傾斜面から成ることを特徴としている。この構成によると、第２係止部材が第１係止部材の第１当接部に当接すると、第２係止部材及び第１当接部に設けた傾斜面が互いに摺動して扉が持ち上げられる。
【００１１】
また本発明は、上記構成の冷蔵庫において、第１係止部材が前記本体部の前記貯蔵室の下方に配され、第２係止部材が前記扉の下面に設けられることを特徴としている。
【００１２】
また本発明は、上記構成の冷蔵庫において、前記貯蔵室内に前後にスライド自在の収納ケースを設け、第２係止部材が第１当接部に当接した状態で前記収納ケースを引き出すことができるとともに、第２係止部材が第２当接部に当接した状態で前記収納ケースを取り外すことができることを特徴としている。
【００１３】
この構成によると、第２係止部材が第１当接部に当接した状態で貯蔵室に貯蔵物が出し入れされ、収納ケースを引き出して収納ケースに貯蔵物が出し入れされる。また、第２係止部が第２当接部に当接した状態で収納ケースを取り外し、貯蔵室及び収納ケースの清掃等が行われる。
【発明の効果】
【００１４】
本発明によると、第１係止部材が周方向に離れて軸方向の段差を形成する第１当接部及び第２当接部を有し、第２係止部材と第１当接部との当接により扉が係止される。更に扉を回動すると第１当接部及び第２係止部材は少なくとも一方に設けた傾斜面が摺動して扉を持ち上げ、第２係止部材が第２当接部に当接して扉の回動範囲が規制される。これにより、貯蔵物を出し入れする際の扉の回動角度を小さくすることができ、冷気の流出を低減して冷却効率を向上することができる。また、スリムタイプの冷蔵庫の安定性が向上し、使用性を向上することができる。
【図面の簡単な説明】
【００１５】
【図１】本発明の実施形態の冷蔵庫の要部を示す側面断面図
【図２】本発明の実施形態の冷蔵庫の扉の第１の係止状態を示す上面図
【図３】図２のＡ部詳細図
【図４】図３のＢ−Ｂ断面図
【図５】本発明の実施形態の冷蔵庫の第１の係止状態の収納ケースの引き出し位置を示す上面図
【図６】本発明の実施形態の冷蔵庫の扉の第２の係止状態を示す上面図
【図７】本発明の実施形態の冷蔵庫の第２の係止状態の収納ケースの引き出し位置を示す上面図
【図８】本発明の実施形態の冷蔵庫の第１係止部材の他の態様を示す断面図
【図９】本発明の実施形態の冷蔵庫の第２係止部材の他の態様を示す断面図
【図１０】本発明の実施形態の冷蔵庫の第１、第２係止部材の他の態様を示す断面図
【発明を実施するための形態】
【００１６】
以下に本発明の実施形態を図面を参照して説明する。図１は一実施形態の冷蔵庫の要部を示す側面断面図である。冷蔵庫１は断熱箱体から成る本体部２に前面を開口する冷蔵室等の貯蔵室３が形成される。貯蔵室３内には貯蔵物を載置する載置棚（不図示）や、前後にスライドする収納ケース９（図５参照）が設けられる。
【００１７】
貯蔵室３の前面は本体部２に枢支される扉４により開閉される。本体部２の貯蔵室３の上方にはヒンジピン５を保持する保持部材７が取り付けられる。本体部２の貯蔵室３の下方にはヒンジピン６を保持する保持部材８が取り付けられる。ヒンジピン５、６は一直線上に配され、扉４の上下面には嵌合孔４ａ、４ｂが設けられる。
【００１８】
嵌合孔４ａ、４ｂにそれぞれヒンジピン５、６が嵌合して扉４がヒンジピン５、６を枢支軸として回動自在に取り付けられる。扉４を閉じた状態では扉４はヒンジピン６の上面により支持される。この時、扉４の上面と保持部材７との間には所定量の隙間Ｄが設けられ、扉４が軸方向の上方に移動可能になっている。
【００１９】
保持部材８には第１係止部材１０が一体に設けられ、扉４の下面には第２係止部材２０が突設される。詳細を後述するように、第１係止部材１０と第２係止部材２０との当接によって扉４の回動範囲が規制される。
【００２０】
図２は下方の保持部材８のヒンジピン６を配した端部を示す上面図である。同図において扉４の下面を破線で示しており、扉４を閉じた状態から９０゜開いた状態を示している。また、図３は図２のＡ部詳細図を示しており、図４は図３のＢ−Ｂ断面図を示している。
【００２１】
第１係止部材１０は保持部材８のヒンジピン６よりも外側に設けられる。第１係止部材１０にはヒンジピン６を中心とする同一円周上に周方向に離れて第１当接部１１及び第２当接部１２が設けられる。第１当接部１１は鉛直に対して傾斜した傾斜面から成り、第２当接部１２は鉛直面から成る。第１当接部１１及び第２当接部１２は水平面１０ａで連結された階段状の軸方向の段差を形成する。
【００２２】
第２係止部材２０は鉛直に対して傾斜した傾斜面２０ａが扉４を開くときの回動方向前方に形成される。第２当接部１２は第２係止部材２０の傾斜面２０ａよりも軸方向に大きく形成される。
【００２３】
扉４が閉じた状態から所定の角度（本実施形態では９０゜）開かれて図２に示す位置に配されると、第２係止部材２０の傾斜面２０ａが第１係止部材１０の第１当接部１１に当接する。これにより、扉４が係止された第１の係止状態となり、貯蔵室３内の貯蔵物が出し入れされる。また、図５に示すように、収納ケース９を所定量だけ引き出すことができ、収納ケース９内にして貯蔵物を出し入れすることができる。
【００２４】
この時、貯蔵物を出し入れする通常使用時の扉４の回動角度を小さくすることができるため、冷気の流出を低減することができる。また、冷蔵庫１が横幅の狭い（例えば、横幅６５０ｍｍ以下）スリムタイプの場合に冷蔵庫１の安定性を向上することができる。
【００２５】
第１の係止状態から扉４を更に強い力で開くと、傾斜した第１当接部１１に第２係止部材２０の傾斜面２０ａが摺動して扉４が持ち上げられる。そして、第２係止部材２０が水平部１０ａ上を摺動し、所定の回動角度（本実施形態では１５０゜）で一点鎖線２０’で示すように鉛直面の第２当接部１２に当接する。これにより、扉４が係止された第２の係止状態となり、それ以上扉４を開くことができないため扉４の回動範囲が規制される。
【００２６】
これにより、扉４は図６、図７に示すように貯蔵室３の前方から退避し、載置棚（不図示）及び収納ケース９を引き出して取り外すことができる。従って、貯蔵室３内、載置棚、収納ケース９の清掃を行うことができる。この時、扉４を開く角度が大きいためスリムタイプの冷蔵庫１では不安定になる。しかしながら、頻度の少ない清掃時に冷蔵庫１の転倒を注意すればよいため、使用者の負担を軽減することができる。
【００２７】
本実施形態によると、第１係止部材１０が周方向に離れて軸方向の段差を形成する第１当接部１１及び第２当接部１２を有し、第２係止部材２０と第１当接部１１との当接により扉４が係止される。更に扉４を回動すると第１当接部１１及び第２係止部材２０に設けた傾斜面が摺動して扉４を持ち上げ、第２係止部材２０が第２当接部１２に当接して扉４の回動範囲が規制される。これにより、貯蔵物を出し入れする際の扉４の回動角度を小さくすることができ、冷気の流出を低減して冷却効率を向上することができる。また、スリムタイプの冷蔵庫１の安定性が向上し、使用性を向上することができる。
【００２８】
また、第１当接部１１及び第２当接部１２がヒンジピン５、６を中心とする同一円周上の周方向に離れて設けられるので、第２係止部材２０が当接する段差を省スペースで形成することができる。従って、冷蔵庫１の小型化を図ることができる。また、第１当接部１１が傾斜面により形成されて第２係止部材２０の傾斜面２０ａと摺動するので、容易に扉４を持ち上げることができる。
【００２９】
また、第２係止部材２０が第２当接部１２に当接した状態で収納ケース９を取り外すことができるので、容易に清掃を行うことができる。
【００３０】
本実施形態において、図８に示すように、第１係止部材１０の第１当接部１１を鉛直面により形成してもよい。これにより、第２係止部材２０の傾斜面２０ａが第１当接部１１の上端に線接触して摺動し、扉４が持ち上げられる。また、図９に示すように、第２係止部材２０の傾斜面２０ａ（図４参照）を省いてもよい。これにより、第２係止部材２０の下端が傾斜面の第１当接部１１に線接触して摺動し、扉４が持ち上げられる。
【００３１】
しかし、本実施形態に示すように、第２係止部材２０の傾斜面２０ａを設けて第１当接部１１を傾斜面により形成すると、第２係止部材２０と第１当接部１１とが面接触する。このため、第２係止部材２０及び第１当接部１１の摩耗を低減することができ、冷蔵庫１の信頼性を向上することができる。
【００３２】
また、図１０に示すように、扉４の下面に第１係止部材１０を設け、支持部材８（図２参照）に第２係止部材２０を設けてもよい。即ち、扉４が開かれて所定の回動角度になると第２係止部材２０の傾斜面２０ａが第１係止部材１０の傾斜面から成る第１当接部１１に当接する。これにより、貯蔵室３内の貯蔵物が出し入れされる。
【００３３】
扉４を更に開くと、傾斜した第１当接部１１と第２係止部材２０の傾斜面２０ａとが摺動して扉４が持ち上げられる。そして、水平部１０ａが第２係止部材２０上を摺動し、所定の回動角度で第１係止部材１０が一点鎖線１０’で示す位置に配される。これにより、第１係止部材１０の鉛直面から成る第２当接部１２が第２係止部材２０に当接し、扉４を開くことができなくなる。これにより、本実施形態と同様の効果を得ることができる。
【産業上の利用可能性】
【００３４】
本発明によると、扉の回動範囲を規制する冷蔵庫に利用することができる。
【符号の説明】
【００３５】
１    冷蔵庫
２    本体部
３    貯蔵室
４    扉
５、６  ヒンジピン
７、８  支持部材
９    収納ケース
１０    第１係止部材
１１    第１当接部
１２    第２当接部
２０    第２係止部材
２０ａ  傾斜面
【図１】
2012087958.tif 000003
【図２】
2012087958.tif 000004
【図３】
2012087958.tif 000005
【図４】
2012087958.tif 000006
【図５】
2012087958.tif 000007
【図６】
2012087958.tif 000008
【図７】
2012087958.tif 000009
【図８】
2012087958.tif 000010
【図９】
2012087958.tif 000011
【図１０】
2012087958.tif 000012